(57)【要約】【課題】インストルメントパネル内に配置されている電子機器の排熱などによって空調不足感が生じるのを防止する。【解決手段】エアコン１０では、空調風を生成するエアコンユニット２０が、ダッシュパネル６０とインストルメントパネル６２の間の空間に配置されている。また、インストルメントパネルには、車室内の乗員に対向する部位に、チャンバ７８、８０が形成されている。このチャンバは、ダッシュパネル側の面が断熱材８８によって覆われ、ダクト４０又はダクト４２を介してエアコンユニットから空調風が供給される。また、チャンバを通過した空調風は、レジスタ吹出し口から車室内へ向けて吹き出される。これにより、例えば、冷房運転時には、チャンバを通過する空調風によって、乗員に対向する部位のインストルメントパネルの表面が冷却されて、乗員が発する輻射熱が吸収されるために、車室内の温度が高くても、乗員に冷房感を生じさせることができる。【選択図】図１
2010076620.tif 000002
【特許請求の範囲】
【請求項１】
車室内の冷房ないし暖房を行う空調風が生成されるエアコンユニットと、
表面が車室内へ向けられた部材の、車室内に着座する乗員に対向される部位に形成されたチャンバと、
前記エアコンユニットで生成された前記空調風を前記チャンバ内へ案内して、前記空調風によって前記部材の表面を温調可能とするダクトと、
を含む車両用空調装置。
【請求項２】
車室内の冷房ないし暖房を行う空調風が生成されるエアコンユニットと、
インストルメントパネルの車室内に着座する乗員に対向される部位に形成されたチャンバと、
前記エアコンユニットで生成された前記空調風を前記チャンバ内へ案内して、前記空調風によって前記インストルメントパネルの車室側の表面を温調可能とするダクトと、
を含む車両用空調装置。
【請求項３】
前記チャンバを通過した空調風が車室内へ吹き出される請求項２に記載の車両用空調装置。
【請求項４】
前記チャンバの前記インストルメントパネルの前記表面と反対側の面が断熱材で覆われている請求項２又は請求項３に記載の車両用空調装置。
【発明の詳細な説明】
【技術分野】
【０００１】
本発明は、車室内の暖房及び冷房を行う車両用空調装置に関する。
【背景技術】
【０００２】
車両に設けられて車室内を空調する車両用空調装置（以下、エアコンとする）では、車室前部のインストルメントパネル内にエアコンユニットが設けられ、このエアコンユニット内に、車室内の空気ないし外気を導入し、エアコンユニット内で導入した空気の冷却、除湿ないし加温を行うことにより所望の温度の空調風を生成する。エアコンは、この空調風が、インストルメントパネルに設けている吹出し口などから車室内へ吹き出されることにより、車室内を所望の空調状態とするようにしている。
【０００３】
このような車両では、インストルメントパネル内にダクトを設けて、デフロスタ吹出し口へ空調風を供給するようになっている。ここから、デフロスタ吹出し口や、サイドデフロスタ吹出し口へ空調風を案内するダクトを、アウタパネルとインナパネルとの間に形成する提案がなされている（例えば、特許文献１、特許文献２参照。）。
【０００４】
一方、駐車中の車両では、車室内の温度が上昇してしまうことがあり、これにより、乗員が乗車したときに不快感を生じさせることがある。ここから、特許文献３では、デフロスタ吹出し口と外気導入口を連通可能とすると共に、ブロワによって吸引した空気を車外に排出する排気口を設け、車両駐車中にブロワを作動することにより、車室内の空気をデフロスタ吹出し口から吸引して、排気口から車外に排出するように提案している。
【０００５】
また、特許文献４では、駐車中に換気ファンによってインストルメントパネル内の空気を吸引して車外へ排出することにより熱負荷を小さいくしておき、冷房運転開始時の冷房能力の低下を抑えるように提案している。
【０００６】
ところで、近年の車両では、各種の制御の電子化が進行しており、このために、車両には、各種の電子機器が搭載されている。これらの電子機器は、エアコンユニットとともに、車室前部野インストルメントパネル内に配設されている。
【０００７】
このようなインストルメントパネル内に配置される電子機器においても、作動時に電力を消費し、この電力消費に応じて発熱が生じる。このために、インストルメントパネルの内部の温度が車室内の温度よりも高くなってしまうことがある。
【０００８】
車室内を冷房している場合、インストルメントパネルの表面温度が高くなっていると、前席に着座している乗員が輻射熱を受けてしまうことがある。これにより、エアコンによって車室内を冷房しているにもかかわらず、十分な冷房感が得られなかったり、乗員に不快感を生じさせてしまうことがある。
【特許文献１】特開２００４−２０３１３７号公報
【特許文献２】特開２００５−１９９８９６号公報
【特許文献３】特開２００７−８２２７号公報
【特許文献４】特開２００６−２７３２９９号公報
【発明の開示】
【発明が解決しようとする課題】
【０００９】
本発明は上記事実に鑑みてなされたものであり、インストルメントパネル内に配置されている電子機器の排熱などの車室内、車室外から受ける熱によって乗員に冷房不足感などの空調不足感を生じさせてしまうのを防止した車両用空調装置を提供することを目的とする。
【課題を解決するための手段】
【００１０】
上記目的を達成するための請求項１の本発明は、車室内の冷房ないし暖房を行う空調風が生成されるエアコンユニットと、表面が車室内へ向けられた部材の、車室内に着座する乗員に対向される部位に形成されたチャンバと、前記エアコンユニットで生成された前記空調風を前記チャンバ内へ案内して、前記空調風によって前記部材の表面を温調可能とするダクトと、を含む。
【００１１】
また、請求項２の発明は、車室内の冷房ないし暖房を行う空調風が生成されるエアコンユニットと、インストルメントパネルの車室内に着座する乗員に対向される部位に形成されたチャンバと、前記エアコンユニットで生成された前記空調風を前記チャンバ内へ案内して、前記空調風によって前記インストルメントパネルの車室側の表面を温調可能とするダクトと、を含む。
【００１２】
この発明によれば、インストルメントパネルなどの、表面が車室内へ向けられた部材にチャンバを形成する。このチャンバは、車室内の乗員に対向される位置となっている。また、このチャンバには、エアコンユニットで生成された空調風が供給され、チャンバが形成された部材で、乗員に対向する部位を冷却又は加熱する。
【００１３】
これにより、温調された部材の表面の熱によって乗員に冷房感、又は暖房感を与えることができる。また、チャンバが設けられた部材を介して車外の熱などを乗員が受けてしまうのを防止されるので、効率的な温調感を得ることができる。
【００１４】
特に、インストルメントパネル内には、車両に設けられる電子機器などが配置され、これらの発する熱によってインストルメントパネルの表面温度が高くなると、冷房時においては、乗員に不快感、冷房不足感を生じさせてしまう。このときに、インストルメントパネル上で乗員に対向する部位を集中的に冷却できるので、乗員に不快感、冷房不足感が生じてしまうのを確実に防止することができる。
【００１５】
請求項３に係る発明は、前記チャンバを通過した空調風が車室内へ吹き出されるようにしており、これにより、空調運転の開始直後から、乗員に空調感を与えることができる。
【００１６】
また、請求項４に係る発明は、前記チャンバの前記インストルメントパネルの前記表面と反対側の面が断熱材で覆われており、これにより、インストルメントパネル内の熱によって、表面の温調効率が低下してしまうのを防止することができる。
【発明の効果】
【００１７】
以上説明したように本発明によれば、乗員に対向する部位にチャンバを設け、該当部位の表面を集中的に冷却又は加熱するので、乗員が車室外から熱を受けるのを防止しながら、乗員に快適な空調感を与えることができる。
【００１８】
また、本発明では、車室内へ吹き出す空調風が、チャンバを通過するようにしているので、車室内を空調しながら、乗員に暖房不足感、冷房不足感などが生じるのを防止することができる。
【００１９】
さらに、本発明では、チャンバを通過する空気が、車室外からの熱を受けるのを防止できるので、車室内の空調効率が低下するのを抑えることができる。
【発明を実施するための最良の形態】
【００２０】
以下に、図面を参照しながら本発明の実施の形態を説明する。図２には、本実施の形態に係る車両用空調装置（以下、エアコン１０とする）の概略構成が示されている。なお、エアコン１０が設けられる車両としては、内燃機関（エンジン）の駆動によって走行する一般的なコンベンショナル車、エンジンと電気モータの駆動によって走行するハイブリッド車、電気モータの駆動によって走行する電気自動車や燃料電池車両などの任意の構成を適用することができる。
【００２１】
このエアコン１０には、コンプレッサ１２、コンデンサ１４、エキスパンションバルブ１６及びエバポレータ１８を含む冷凍サイクルが形成されている。エアコン１０では、コンプレッサ１２が回転駆動されることにより冷凍サイクル中を冷媒が循環される。この冷媒がエバポレータ１８で冷媒が減圧されることにより気化され、これにより、エバポレータ１８を通過する空気の冷却及び除湿が行われる。このような冷凍サイクルは、公知の一般的構成を適用することができる。
【００２２】
このエアコン１０は、空調風となる空気の流路が形成されたエアコンユニット２０を備えている。このエアコンユニット２０内には、エバポレータ１８が配設されている。また、エアコンユニット２０には、ブロワカバー２２が設けられ、このブロワカバー２２に空気導入口２４が設けられている。
【００２３】
空気導入口２４は、空調風を生成する空気の導入用となっており、エアコン１０では、この空気導入口２４として、車外へ向けて開口された外気導入口２４Ａと、車室内へ向けて開口された内気導入口２４Ｂ、２４Ｃとが形成されている。
【００２４】
また、ブロワカバー２２内には、ブロワファン２６が配設されていると共に、外気導入口２４Ａ、内気導入口２４Ｂ、２４Ｃを選択的に開閉可能とする切換ドア２８（２８Ａ、２８Ｂ）が設けられている。なお、切換ドア２８Ａは、外気導入口２４Ａと内気導入口２４Ｂとを開閉し、切換ドア２８Ｂは、内気導入口２４Ｃを開閉する。
【００２５】
エアコン１０では、空気の導入モードとして、内気導入口２４Ｂ、２４Ｃが閉じられて外気導入口２４Ａから車外の空気（外気）を導入する外気導入モード、外気導入口２４Ａが閉じられて内気導入口２４Ｂ、２４Ｃから車室内の空気（内気）を導入する内気循環モード及び、内気導入口２４Ｂを閉じて外気導入口２４Ａから外気を導入すると共に内気導入口２４Ｃから内気を導入する内外気導入モードが設定されている。エアコン１０では、導入モードが設定されることにより、導入モードに応じて切換ドア２８が作動される。
【００２６】
エアコン１０では、ブロワモータ３０によってブロワファン２６が回転駆動されることにより、導入モードに応じて導入口２４から車外の空気（外気）ないし車室内の空気（内気）が導入されてエバポレータ１８へ送られる。
【００２７】
一方、エアコン１０では、フロントウインドガラスへ向けて開口されたデフロスタ吹出し口３２、車室内に着座した乗員へ向けて開口されたセンタレジスタ吹出し口３４Ａ及びサイドレジスタ吹出し口３４Ｂ（総称するときは、レジスタ吹出し口３４とする）、乗員の足元へ向けて開口された前席足元吹出し口３６Ａと後席足元吹出し口３６Ｂ（総称するときは、足元吹出し口３６とする）が設けられている。
【００２８】
エアコンユニット２０には、デフロスタ吹出し口３２が形成されたダクト３８、センタレジスタ吹出し口３４Ａが形成されたダクト４０、サイドレジスタ吹出し口３４Ｂが形成されたダクト４２、前席足元吹出し口３６Ａが形成されたダクト４４及び、後席足元吹出し口３６Ｂが形成されたダクト（リヤヒータダクト）４６が連結されて開口されている。
【００２９】
また、エアコンユニット２０には、モード切換ドア４８が設けられている。このモード切換ドア４８は、ダクト３８（デフロスタ吹出し口３２）を開閉するモード切換ドア４８Ａ、ダクト４０（センタレジスタ吹出し口３４Ａ）を開閉するモード切換ドア４８Ｂ、ダクト４４（前席足元吹出し口３６Ａ）を開閉するモード切換ドア４８Ｃ及び、リヤヒータダクト４６（後席足元吹出し口３６Ｂ）を開閉するモード切換ドア４８Ｄによって構成されている。
【００３０】
エアコン１０では、モード切換ドア４８Ａ〜４８Ｄが同期されて作動されることにより、デフロスタ吹出し口３２、センタレジスタ吹出し口３４Ａ、足元吹出し口３６から選択的に空調風画吹き出される。なお、本実施の形態に適用されているエアコン１０では、サイドレジスタ吹出し口３４Ｂが形成されているダクト４２が開口された状態となっているが、これに限らず、ダクト４２を開閉するモード切換ドアを設けてもよく、このときには、レジスタ吹出し口３４Ａと同様にサイドレジスタ吹出し口３４Ｂから空調風が吹き出されるようにするなどの構成を適用することができる。
【００３１】
エアコンユニット２０には、ヒータコア５０及びエアミックスドア５２が設けられている。ヒータコア５０には、車両の図示しない内燃機関（エンジン）との間で、エンジン冷却水が循環される。これにより、エアコン１０では、エバポレータ１８を通過した空気がヒータコア５０を通過することにより加熱される。エアミックスドア５２は、ヒータコア５０を通過する空気と、ヒータコア５０をバイパスする空気とに分けている。
【００３２】
エアコンユニット２０内では、ヒータコア５０を通過して加熱された空気と、ヒータコア５０をバイパスすることによりエバポレータ１８を通過したままの空気が混合されることにより空調風が生成される。エアコン１０では、このエアミックスドア５２の開度を制御することにより、所望の温度の空調風が生成されるようにしている。
【００３３】
また、エアコン１０では、空調風の吹出しモードとして、デフロスタ吹出し口３２が選択されるDEFモード、レジスタ吹出し口３４が選択されるFACEモード、足元吹出し口３６が選択されるFOOTモード、デフロスタ吹出し口３２と足元吹出し口３６が選択されるFOOT／DEFモード及び、レジスタ吹出し口３４と足元吹出し口３６が選択されるBI−LEVELモードが設定されている。
【００３４】
エアコン１０では、吹出しモードが選択されることにより、モード切換ドア４８（４８Ａ〜４８Ｄ）が作動され、選択された吹出しモードに応じた吹出し口から空調風が吹き出されるようにしている。
【００３５】
このときに、エアコン１０では、足元吹出し口３６からは主にヒータコア５０を通過して加熱された空気が吹きだされ、デフロスタ吹出し口３２及びレジスタ吹出し口３４からは主にヒータコア５０をバイパスされた空気が吹き出される。
【００３６】
また、エアコンユニット２０内には、エバポレータ１８とブロワファン２６との間にセパレータ５４が設けられている。エアコン１０では、内外気導入モードが選択されたときに、内気導入口２４Ｃから導入された内気が、主にヒータコア５０によって加熱され、外気導入口２４Ａから導入された外気が、ヒータコア５０をバイパスされる。
【００３７】
エアコン１０では、図示しない操作パネルのスイッチ操作によって設定温度などの運転条件が設定されて空調運転の開始が指示されると、車室内を設定温度とするための空調風の吹出し温度（目標吹出し温度）を設定し、この目標吹出し温度の空調風が吹出し口から吹き出されるようにエアミックスドア５２の開度を制御する。
【００３８】
この目標吹出し温度は、室温、外気温、日射量などを検出して、これらと設定温度に基づいて求められ、エアミックスドア５２の開度は、目標吹出し温度、ブロワ風量、エンジン冷却水の水温等によって求めることができる。また、オートモードに設定されているときの空調風の風量であるブロワ風量（ブロワファン２６の回転数）は、目標吹出し温度と設定温度ないし室温に基づいて設定することができる。
【００３９】
これにより、エアコン１０では、車室内を設定温度とするように冷房運転ないし暖房運転が可能となると共に、例えば、暖房運転時に、暖房感を損ねることなる、車室内の除湿が可能となっている。このような、エアコン１０の運転制御は、公知の構成を適用でき、ここでは詳細な説明を省略する。
【００４０】
一方、図１に示されるように、エアコン１０が設けられる車両（以下、車両５６とする）では、車室５８の前部にダッシュパネル６０が設けられ、このダッシュパネル６０によって車室５８の車両前方側（矢印Ｆ方向側）が車外と区画されている。
【００４１】
図１及び図３に示されるように、車室５８には、車両前方側にインストルメントパネル６２が設けられている。ダッシュパネル６０とインストルメントパネル６２との間の空間（以下、インストルメントパネル６２内とする）には、エアコン１０のエアコンユニット２０が配設されている。
【００４２】
図３に示されるように、エアコン１０では、このインストルメントパネル６２に、車両前方側のフロントウインドガラス６４へ向けて開口されたデフロスタ吹出し口３２が形成されていると共に、運転席側及び助手席側に向けて開口されたセンタレジスタ吹出し口３４Ａ及びサイドレジスタ吹出し口３４Ｂが形成されている。
【００４３】
本実施の形態に適用したエアコン１０では、一例として、車両５６のドア６６に、ドアガラス６８へ向けて開口されたサイドドア吹出し口７０が設けられている。
【００４４】
図２に示されるように、エアコン１０のダクト４２には、サイドレジスタ吹出し口３４B側の端部にキャップ７２が設けられている。また、ドア６６には、キャップ７２に対向されてキャップ７４が設けられている。エアコン１０では、このキャップ７２、７４が重ね合わせられることにより、ダクト４２とサイドドア吹出し口７０のダクト７６とが連通される。
【００４５】
図３に示されるように、キャップ７２は、インストルメントパネル６２の車幅方向の端部に設けられ、ドア６６を閉じることにより、ドア６６側に形成されているキャップ７４（図３では図示省略）と当接される。これにより、空調風がドア６６のサイドドア吹出し口７０から吹き出される。
【００４６】
一方、車両５６を含む一般的構成の車両には、エアコン１０、パワーステアリング装置、ステアリングロック装置、リモコンキー装置、ヘッドランプの配光制御装置、エアバック装置、コンビネーションメータ、ナビゲーション装置、電子機器を備えたものがある。また、車両には、エンジンの作動制御、各種の走行制御、乗員保護制御などを行うための各種の電子機器が設けられたものがある。
【００４７】
これらの電子機器ないし電子機器の作動制御を担うＥＣＵは、インストルメントパネル内に設けられるのが一般的構成となっており、車両１０においても、インストルメントパネル６２内に電子機器ないし電子機器の制御を担うＥＣＵが収容されている（図示省略）。
【００４８】
ところで、図２に示されるように、本実施の形態に適用したエアコン１０では、センタレジスタ吹出し口３４Ａが形成されたダクト４０にチャンバ７８が設けられ、サイドレジスタ吹出し口３４Ｂが形成されたダクト４２には、各デフロスタ吹出し口３４Ｂの近傍にチャンバ８０が設けられている。また、エアコン１０では、サイドドア吹出し口が形成されたダクト７６にチャンバ８２が設けられている。
【００４９】
これにより、センタレジスタ吹出し口３４Ａから吹き出される空調風は、チャンバ７８を通過し、サイドレジスタ吹出し口３４Ｂから吹き出される空調風は、チャンバ８０を通過する。また、サイドドア吹出し口７０から吹き出される空調風は、チャンバ８２を通過するようになっている。チャンバ７８、８０、８２は、内部が薄肉状に形成され、車室５８側の面が広く、かつ、空調風の通過抵抗が抑えられている。
【００５０】
図３に示されるように、チャンバ８２は、ドア６６内に設けられている。ドア６６は、アウタパネルとインナパネルとが設けられ、インナパネルの車室５８側にドアトリム８４が配設されている（何れも図示省略）。チャンバ８２は、このインナパネルに接合されて設けられるか、インナパネルとドアトリム８４の間でドアトリム８４に接合されて設けられるものであればよい。
【００５１】
これにより、ドア６６では、サイドドア吹出し口７０から空調風がチャンバ８２を通過するときに、このチャンバ８２に対向する部位のドアトリム８４が冷却ないし加熱される。エアコン１０では、この部位が、運転席および助手席に着座した乗員に対向する部位となっている。
【００５２】
一方、エアコン１０では、チャンバ７８、８０が、インストルメントパネル６２に設けられている。
【００５３】
図１に示されるように、インストルメントパネル６２は、例えば、車室５８内側のインストルメントパネルアッパ８６Ａと、ダッシュパネル６０側のインストルメントパネルロア８６Ｂによる二重構造となっており、インストルメントパネルアッパ８６Ａとインストルメントパネルロア８６Ｂの間に空間が設けられている。なお、本発明が適用されるインストルメントパネルは、インストルメントパネルアッパとインストルメントパネルロアによって形成される二重構造に限るものではなく、少なくと車室に面するインストルメントパネルを備えたものであればよい。ここから、以下では、車室５８側から視認されるインストルメントパネルアッパ８６Ａをインストルメントパネル６２として説明する。
【００５４】
ここで、エアコン１０では、インストルメントパネル６２のインストルメントパネルロア８６Ｂ側の面に一体となるようチャンバ７８、８０を形成している。また、チャンバ７８、８０には、インストルメントパネルロア８６Ｂ側が、断熱材８８によって覆われている。
【００５５】
これにより、チャンバ７８、８０を通過する空調風が、インストルメントパネル６２内の空気の温度の影響を受けてしまうのが抑えられている。また、インストルメントパネル６２は、車室５８内側の面（以下、表面とする）が、チャンバ７８、８０内を通過する空気によって冷却ないし加熱される。
【００５６】
図３に示されるように、チャンバ７８、８０は、運転席側に着座した乗員に対向する位置及び、助手席に着座した乗員に対向する位置に設けられている。なお、エアコン１０では、一例として、助手席側に一方のチャンバ８０を設け、運転席側には、メータパネル９０を挟んで、チャンバ７８と他方のチャンバ８０を設けている。
【００５７】
このように構成されているエアコン１０では、設定温度が設定されて空調運転の開始が指示されることにより、外気温、室温（車室５８内の温度）及び設定温度に基づいて、暖房運転又は冷房運転が行われる。
【００５８】
ここで、暖房運転が行われるときには、空調風の吹出しモードとして、FOOTモード又はBI−LEVELモードが選択され、主に足元吹出し口３６から空調風が車室５８内に吹き出されて、車室５８内の暖房が行われる。
【００５９】
また、冷房運転が行われるときには、空調風の吹出しモードとしてFACEモード又はBI−LEVELモードが選択され、主にレジスタ吹出し口３４から吹き出される空調風によって車室５８内の冷房が行われる。
【００６０】
ところで、エアコン１０では、インストルメントパネル６２にチャンバ７８、８０を設けている。このチャンバ７８、８０は、前席（運転席及び助手席）に着座した乗員に対向する位置に設けられている。また、エアコン１０では、ドア６６内にチャンバ８２が設けられている。
【００６１】
エアコン１０の冷房運転が行われ、センタレジスタ吹出し口３４Ａ及びサイドレジスタ吹出し口３４Ｂから冷却風が吹き出されるときに、この冷却風がチャンバ７８、８０内を通過する。これにより、インストルメントパネル６２では、チャンバ７８、８０が設けられている部位の表面が冷却される。
【００６２】
また、ドア吹出し口７０から冷却風が吹き出されるときには、この冷却風がチャンバ８２を通過する。これにより、チャンバ８２に対向する部位のドアトリム８４の表面が冷却される。
【００６３】
一般に、車室５８内の乗員及びこの乗員に対向されるインストルメントパネル６２のそれぞれは、表面温度に応じて赤外線を放出する。このときに、例えば、インストルメントパネル６２の表面温度は室温よりも高いと、乗員が、インストルメントパネル６２から放出される輻射熱を受け、これにより、乗員に暖房不足感を生じさせてしまう。
【００６４】
これに対して、乗員の体温よりインストルメントパネル６２の表面の温度が低いと、乗員の発する赤外線がインストルメントパネル６２に吸収される。これにより、車室５８内の室温がインストルメントパネル５８の表面の温度より高くても、乗員には、涼しく感じられる。すなわち、乗員とインストルメントパネル６２のそれぞれから輻射熱が放出されたときに、インストルメントパネル６２の表面温度が低いことにより、乗員が放出する輻射熱が吸収され、乗員に冷房感が生じる。
【００６５】
ここで、エアコン１０では、乗員に対向する部位のインストルメントパネル６２にチャンバ７８、８０を設け、このチャンバ７８、８０内を冷却風が通過されるようにしている。
【００６６】
これにより、車両５６では、乗員が対向される部位のインストルメントパネル６２が冷却されるので、乗員に快適な冷房感を生じさせることができる。特に、インストルメントパネル６２内には、各種の電子機器や電子機器の作動制御を担うＥＣＵが設けられていることにより、これらの排熱によって表面温度が高くなり易い。このときに、インストルメントパネル６２にチャンバ７８、８０を設けることにより、排熱による温度上昇を確実に防止して、排熱による暖房不足感や不快感を生じさせてしまうのを確実に防止することができる。
【００６７】
また、エアコン１０では、冷房開始直後や冷房中は、室温よりも空調風の温度が低い、このために、車室５８内の室温よりも、インストルメントパネル６２の表面温度が低くなっている。
【００６８】
したがって、エアコン１０では、車室５８内の温度が比較的高い冷房運転開始直後であっても、乗員に冷房感を与えることができる。また、冷房運転を行うときの設定温度を比較的高くしても、インストルメントパネル６２の表面温度は低くなるので、乗員に冷房不足感を生じさせることがなく、効率的な空調運転を行って省エネを図ることができる。
【００６９】
さらに、エアコン１０では、ドア６６にチャンバ８２を設けており、これにより、乗員がドア６６を介して車外から熱を受けてしまうのを防止しながら、乗員に快適な冷房感を生じさせることができる。
【００７０】
一方、車室内を暖房するときに、インストルメントパネル６２の表面温度が高いと、室温が低くても乗員に暖房不足による不快感を生じさせることがない。
【００７１】
エアコン１０では、BI−LEVELモードが選択されたときには、暖房風がチャンバ７８、８０、８２に供給される。また、エアコン１０では、FOOTモードが選択されたときにも、チャンバ８０、８２に暖房風が供給される。少なくとも、インストルメントパネル６２の表面温度は低くなってしまうことはなく、暖房開始直後や、車両５６の走行開始のための始動直後であっても、インストルメントパネル６２の表面温度を室温に比べて高くできる。
【００７２】
したがって、エアコン１０では、暖房運転時においても、乗員に不快感を生じさせてしまうことがなく、また、効率的な空調運転を行って省エネを図ることができる。
【００７３】
このように、エアコン１０では、車室５８内の乗員に対向する部位の表面を集中的に冷却又は加熱するので、広範囲に冷却又は加熱するよりは低い熱量で、確実に、乗員に快適感を生じさせることができる。
【００７４】
なお、以上説明した本実施の形態では、乗員へ向けて空調風を吹き出すレジスタ吹出し口３４が設けられたダクト４０、４２にチャンバ７８、８０を形成するようにしたが、これに限らず、任意の構成を適用することができる。
【００７５】
例えば、乗員の足元に対向する部位のインストルメントパネルにチャンバを形成し、このチャンバを通過した空気が、足元吹出し口３６から車室５８内へ吹き出されるようにしても良く、これにより、暖房運転時の暖房感の向上と省エネを図ることができる。
【００７６】
また、空調風の吹出しモードにかかわらず、エアコンユニット２０からチャンバ７８、８０へ空調風が供給されるようにして、このチャンバ７８、８０を通過した空調風が、吹出しモードに応じて切換えられて、レジスタ吹出し口３４ないし足元吹出し口３６へ供給されるようにしても良い。
【００７７】
さらに、吹出しモードとして、例えば、間接温調モードを新たに設け、この間接温調モードが選択されたときに、チャンバ７８、８０へ空調風が供給され、チャンバ７８、８０を通過した空調風がインストルメントパネル６２内、すなわち、ダッシュパネル６０とインストルメントパネルロア８６Bの間の空間へ送り込まれるようにしてもよい。
【００７８】
これにより、冷房運転時に、乗員に冷房不足感を生じさせてしまうこと無く、インストルメントパネル６２内に配設されている電子機器ないし電子機器の作動制御を担うＥＣＵの冷却を図ることができる。
【００７９】
また、車両では、車室内の空気を車室後部側に設けているダクトなどによって車外へ排出するようにしているが、一端がインストルメントパネル６２内に開口され、他端が車両後方側へ延設された後に車外へ開口されたダクトを設け、インストルメントパネル６２内を介して、車室５８内の空気が排出されるようにしても良い。
【００８０】
これにより、冷房運転時には、外気などに比べて温度の低くなっている空気がインストルメントパネル６２内を通過して車外へ排出されるので、車室５８内の空気を用いて、インストルメントパネル６２内の冷却を行うことができる。
【００８１】
また、車室５８内の空気を、インストルメントパネル６２内へ導入して、インストルメントパネル６２内の空気を冷却する構成とすることにより、インストルメントパネル６２内の空気によって、チャンバ７８、８０を通過する空気の温度上昇を抑えることができる。
【００８２】
さらに、本発明は、車室内の暖房および冷房を行う任意の構成の車両用空調装置に適用することができる。
【図面の簡単な説明】
【００８３】
【図１】インストルメントパネル内を示す要部の概略図である。
【図２】本実施の形態に係るエアコンの要部を示す構成図である。
【図３】インストルメントパネルの要部の概略斜視図である。
【符号の説明】
【００８４】
１０    エアコン（車両用空調装置）
２０    エアコンユニット
３４（３４Ａ、３４Ｂ）    レジスタ吹出し口
３６    足元吹出し口
４０、４２    ダクト
５８    車室
６０    ダッシュパネル
６２    インストルメントパネル
７０    サイドドア吹出し口
７８、８０、９０    チャンバ
８４    ドアトリム
８８    断熱材
【図１】
2010076620.tif 000003
【図２】
2010076620.tif 000004
【図３】
2010076620.tif 000005